(57)【特許請求の範囲】
【請求項１】
アイラインを引くための化粧用の補助具であって、上瞼又は下瞼に宛がって瞼を押すための宛がい部を有し、該宛がい部は、ハンドルに設けられ、且つ上まつ毛を押し上げ上瞼に押し付けて上まつ毛と共に上瞼を押し上げたときに、上まつ毛の下側の根元に塗布具でアイラインを引くことができるように形成され、ハンドルには断面が円形の環状部が設けられ、宛がい部はその環状部に形成されていることを特徴とするアイラインを引くための化粧用の補助具。
【請求項２】
環状部を側方から見たときに、環状部は一方の側に反るように曲がっている請求項１記載の化粧用の補助具。
【請求項３】
宛がい部に摩擦係数の大きな合成樹脂層が設けられている請求項１又は請求項２記載の化粧用の補助具。
【発明の詳細な説明】
【技術分野】
【０００１】
本発明は、目元にアイラインを引くときに使用する補助具に関する。
【背景技術】
【０００２】
アイラインを引くときに使用するアイメーク補助用具は既に存在している（例えば、特許文献１参照。）。
【特許文献１】特開２００３−３０４９３０号公報
【発明の開示】
【発明が解決しようとする課題】
【０００３】
本発明は、アイラインを目元に容易且つきれいに描くことを課題とする。
【０００４】
特許文献１の補助用具は、アイラインを引く際にまばたきによって瞼が動くことを防止してアイラインを容易に引くことを目的としている。そのために瞼の上から宛がって固定する補助用具である。
【０００５】
人の瞼は非常に柔らかに出来ている。したがって、目元にアイラインを描いたりアイシャドーを描くときに瞼が塗布具との摩擦で塗布方向に引っ張られるので、きれいに描くためには非常に手間がかかるのである。手間をかけずにきれいに描こうとするときは、描く部分の皮膚を張った状態にすればよいのである。そこで、従来は指先を瞼に宛がって皮膚を引っ張っていた。また、例えば上まつ毛の下側や下側の根元にマスカラなどの化粧料を塗布するときは眼を大きく開き、上まつ毛の下側が正面を向くように指先で上瞼を引き上げていた。しかし、指先を瞼に宛がうと使用時に塗布具が指先に当たって指先を汚す虞がある。また、既に塗布したアイシャドーの上に指先を宛がうこともあり、そのようなときに指先にアイシャドーが付着して指先を汚すのである。そこで本発明は、指先を使用しなくてもアイラインを容易且つきれいに描くことのできる補助具を提供することを目的とする。
【課題を解決するための手段】
【０００６】
本発明の請求項１は、アイラインを引くための化粧用の補助具であって、上瞼又は下瞼に宛がって瞼を押すための宛がい部を有し、その宛がい部は、ハンドルに設けられ、且つ上まつ毛を押し上げ上瞼に押し付けて上まつ毛と共に上瞼を押し上げたときに、上まつ毛の下側の根元に塗布具でアイラインを引くことができるように形成され、ハンドルには断面が円形の環状部が設けられ、宛がい部はその環状部に形成されている構成である。
【０００７】
請求項２は、環状部を側方から見たときに、環状部が一方の側に反るように曲がっている構成である。
【０００８】
請求項３は、宛がい部に摩擦係数の大きな合成樹脂層が設けられている構成である。
【発明の効果】
【０００９】
請求項１は、上瞼又は下瞼に宛がって瞼を押すための宛がい部を有し、その宛がい部は、ハンドルに設けられ、且つ上まつ毛を押し上げ上瞼に押し付けて上まつ毛と共に上瞼を押し上げたときに、上まつ毛の下側の根元に塗布具でアイラインを引くことができるように形成され、ハンドルには断面が円形の環状部が設けられ、宛がい部はその環状部に形成されている。宛がい部で瞼を押すことにより瞼の縁と宛がい部との間の瞼の表面が引っ張られて張った状態となる。したがって、その部分に塗布具でアイラインなどを描けば皮膚はたるみが少なく円滑容易に且つきれいにアイラインを描くことができる。また、ハンドルに環状部が設けられ、宛がい部が環状部に形成されている。宛がい部を環状部に形成することによって、環状部内側の空間を視界開放部とすることができる。
【００１０】
請求項２は、環状部を側方から見たときに、環状部は一方の側に反るように曲がっている構成である。したがって、反る側と反対の他方の側を顔の表面と対向するように使用すれば、環状部が反らない場合に比べて顔の表面と宛がい部との角度が小さくなるので、宛がい部は垂直方向に近い角度で瞼を押す作用をなす。これにより、眼球を押す力は弱まり効率的に瞼を押すことができる。
【発明を実施するための最良の形態】
【００１１】
次に本発明の実施の形態について説明する。図１に示すように補助具１は細長いハンドル２の一端に環状部３が一体に形成されている。材料は硬質の合成樹脂が好ましいがこれ以外の材料であってもよい。環状部３の断面は円形である。この実施例の補助具１の全長は約１３５ｍｍであり、環状部３の長手方向の長さは約４５ｍｍであり、環状部３の横幅は約４０ｍｍである。ただし、この数値に限定されるものではない。環状部３のほぼ前半分が宛がい部４として使用することができる。通常は宛がい部４の前端部を使用するが、他の部分を使用してもよい。宛がい部４にエラストマーのような摩擦係数の大きな合成樹脂層を設けてもよい。また、環状部３の形状はこの実施例に限定されるものでなく、横長でもよく、あるいは円形や楕円形や逆おむすび形にしてもよい。
【００１２】
図２は本発明を側面から見たときの使用状態を示している。図２に示すように環状部３はハンドル２の軸線から偏倚して延びている。また、環状部３はその偏倚した側と反対側に反るように延びている。さらに、図４に示すように環状部３をその前端から見たときに一方の側に反るように形成されている。図４における環状部４の反る側は環状部４の偏倚した側と同じであって、図２における環状部３の反る側と異なっている。
【００１３】
ハンドル２の内部は空洞になっていて図６に示す塗布具５がネジにより着脱可能に取り付けられている。塗布具５は先端に塗布部６が設けられている。塗布具５はハンドル２及び環状部３と同じ硬質の合成樹脂で形成されるが、塗布部６は柔軟性を有する合成樹脂で形成されている。塗布部６にアイラインなどを付けて目元に塗布する。
【００１４】
次に本発明の使用方法について説明する。図２及び図３は上瞼を押上げてアイライン等の化粧料を施す使用方法を示したものである。補助具１を使用するときはまずハンドル２をつかみ、次いで環状部３の前端の宛がい部４を上瞼に宛がう。宛がうときは図２に示すように環状部３が反っている側と反対側が顔の表面と対向するように宛がう。このときに、環状部３の内側は中空であるからその中にまつ毛が入り視界が遮断されることなく中空部分を介して鏡を見ることができる。そして、鏡を眼で見ながら宛がい部４により上瞼を押す。押すというのは、上瞼については上瞼を上方に押すことであるが、ある程度の力で眼球方向に押すことも含まれる。また、下瞼については下瞼を下方に押すことと、ある程度の力で眼球方向に押すことも含まれる。さらに、まつ毛と共に瞼を押すことも含まれる。宛がい部４で上瞼を押上げることにより上まつ毛が上を向くので、上まつ毛の下側にマスカラを容易に塗布することができる。また、上瞼を押上げている宛がい部４よりも下方の上瞼の表面が引っ張られてしわが少なくなるので、その部分にアイシャドーを容易に塗布することができる。また、上まつ毛の根元の下側にアイラインを容易且つきれいに引くことができる。さらに、環状部３はその反っている側と反対側が顔の表面に対向しているから、図２から明らかなように顔の表面に対するハンドル２の角度よりも宛がい部４付近の角度の方が小さい。したがって、ハンドル２の下端を顔の表面に接近させなくても宛がい部４は上瞼を真上に近い方向に押上げることができるから使用し易い。さらに、図４に示すように環状部３はその前端から見たときに一方の側に反るように形成されている。したがって、この弧状に反った形状が上瞼の表面に合致するから上瞼を広い範囲で上に押上げることができる。
【００１５】
次に他の使用方法について説明する。図５は宛がい部４で上まつ毛を押上げてアイライン等の化粧料を施す使用方法を示したものである。この使用方法は主に上まつ毛の下側の根元にアイラインを容易に引くときに使用される。上まつ毛が確実に上瞼に押付けられているので、アイラインを容易且つきれいに引くことができる。本発明の補助具はこの使用方法のほかに下瞼を下側に押して使用したり、下まつ毛を下瞼に押付けて使用することができる。この場合、上瞼の場合と異なり補助具の上下を逆にして使用する。
【図面の簡単な説明】
【００１６】
【図１】本発明の斜視図
【図２】本発明の使用状態を示す側面図
【図３】本発明の使用状態を示す正面図
【図４】補助具を前端から見た前面図
【図５】本発明の他の使用状態を示す側面図
【図６】塗布具の正面図
【符号の説明】
【００１７】
１  補助具、    ２  ハンドル、    ３  環状部、    ４  宛がい部、    ５  塗布具、    ６  塗布部
【図１】
0005189280.tif 000002
【図２】
0005189280.tif 000003
【図３】
0005189280.tif 000004
【図４】
0005189280.tif 000005
【図５】
0005189280.tif 000006
【図６】
0005189280.tif 000007